(57)【特許請求の範囲】
【請求項１】
複数本の配管ラインにより構成されるオフサイトの配管網の少なくとも一部について、配管ラインの新設、修理、取り替え等の工事を施すに当たり、工事の対象となる配管ライン（以下、工事対象配管ラインと言う）をオフサイトの配管網から分離する際、その分離作業を支援するコンピュータ・システムであって、
オフサイトの配管網を構成する各配管ラインのデータを記憶する配管ライン・データベースと、
工事対象配管ラインのライン番号を入力する入力手段と、
配管ライン・データベースから配管ラインのデータを読み出し、入力手段から入力されたライン番号の工事対象配管ラインをオフサイトの配管網から分離するために閉止すべき開閉弁（以下、閉止開閉弁と言う）の弁番号を検索、指定する演算手段と
を備え、前記演算手段は、下記機能（１）〜（７）を有することを特徴とするオフサイトの安全支援システム。
（１）閉止開閉弁が工事対象配管ラインに存在しない場合には、工事対象配管ラインに接続している別の配管ライン（以下、接続配管ラインと言う）のデータを検索し、接続配管ラインに設けられた開閉弁を閉止開閉弁として指定する機能。
（２）ＤＣＳ（DistributedControl System）と協働し、閉止開閉弁として指定した開閉弁が、通油中を含む使用状態にあるかどうか判定し、使用中の場合には、その旨を出力する機能。
（３）演算手段が指定した閉止開閉弁に代えて、別途に入力された別の開閉弁を閉止開閉弁として指定する機能。
（４）遠隔操作可能な閉止開閉弁を一斉に閉止する機能。
（５）開操作不能になるように、閉止状態の閉止開閉弁をインターロックする機能。
（６）閉止開閉弁の開閉状態を検知する検知機能。
（７）ＤＣＳと協働し、ＤＣＳによる閉止開閉弁の開閉操作を不能にするインターロック機能と、ＤＣＳのモニター画面上で閉止開閉弁を識別できるようにする識別機能。
【発明の詳細な説明】
【０００１】
【発明の属する技術分野】
本発明は、オフサイトの安全支援システムに関し、更に詳細には、複数本の配管ラインにより構成されるオフサイトの配管網の少なくとも一部について、配管ラインの新設、修理、取り替え等の工事を施すに当たり、工事の対象となる配管ラインをオフサイトの配管網から分離する際、その分離作業を支援するコンピュータ・システムに関するものである。
【０００２】
【従来の技術】
原油から種々の石油製品を製造する製油所、或いは原料油から各種の製品を製造する石油化学工場では、蒸留装置、反応装置等の製造装置に加えて、製造装置に送る各種の原料油を外部から受け入れる際の受入れ設備、原料油を貯蔵する多数の原料油タンク、製造装置から送出された各種の製品油を貯蔵する製品油タンク、各種の製品油を混合する混合設備、製品油の出荷設備等の種々、様々な付帯設備が必要である。
通常、製造装置は、複雑な製造工程を組み合わせて製品油を製造する関係から、プラントサイト、即ちオンサイトと称されるエリアに集中して配置される。一方、付帯設備は、原料油の搬入及び製品の搬出に便利な、例えば海岸に近いオフサイトと称される広いエリアに比較的分散して配置されていて、多数の配管ラインからなる配管網により有機的に接続されている。
オンサイトに配置されている製造装置以外の種々の付帯設備及びそれに付随する配管網は、纏めて、オフサイトと通称されている。換言すれば、オフサイトは、種々の付帯設備と、それら付帯設備同士、及び付帯設備とオンサイトの製造装置を接続する、多数本の配管ラインからなる配管網とから構成されている。
【０００３】
例えば、オフサイトには、図６に示すように、Ｔ８０７からＴ８１２の多数の貯蔵タンクと、Ｔ８０７からＴ８１２の貯蔵タンク内に貯蔵された原料油、或いは製品油を所定場所に送るポンプ（図示せず）とを結ぶ配管ラインとが配置されている。また、図７に示すように、貯蔵タンク、貯蔵タンクから製品油を送出するポンプ（Ｐ７２６からＰ７３４）等の多数の機器、及びそれらの機器を接続する配管ラインが敷設されている。
配管ラインには、原料油、製品油等の流体の流動を遮断する開閉弁が設けてあって、開閉弁を閉止することにより、流体の流動を止め、配管ラインを他の配管ラインから、又は機器から分離させることができるようになっている。
【０００４】
貯蔵タンク、ポンプ等の各機器には、識別番号として、それぞれ、一対一で対応した機器番号が付されている。例えば、図６で、Ｔ８０７〜８１２は貯蔵タンクに付された機器（タンク）番号である。また、各配管ラインには、それぞれ、一対一で対応したライン番号が付されている。例えば、図６で、Ｓ１０１８２、Ｔ８１２０１は配管ラインに付されたライン番号である。
付した機器番号及びライン番号により、一対一で対応して機器又は配管ラインを特定することができる。
【０００５】
配管ラインは、機器（オンサイトの製造装置、オフサイトの設備、及び開閉弁を含む概念）から始まって機器に終わる流体経路、又は別の配管ラインを通って機器に終わる流体経路であって、必ず、その配管ライン又はその配管ラインに接続する他の配管ラインに開閉弁を有する。さもないと、その流体経路を通る流体が外部に流出することになるからである。
ところで、オフサイトでは、破損した配管ライン、故障した機器等を修理したり、生産計画の変更に伴う配管ラインの接続替えを行ったりすることが多い。
しかし、オンサイトの製造装置の運転中は、オフサイトも、それに合わせて運転中であって、機器は稼働しており、油やガスが、機器に接続された配管ライン内を流れている。
従って、或る配管ラインに工事を施すには、工事の対象となる配管ライン及び機器をオフサイトの配管網、即ち他の配管ライン及び機器から開閉弁により分離することが必要である。
【０００６】
ここで、具体的に、例えば図８に示すオフサイトの一区画での配管の工事を例にして説明する。図８はオフサイトの一区画の構成を示すフローシートである。
図８に示すオフサイトの一区画は、配管ライン３０にそれぞれ接続された、４個の貯蔵タンク３２、３４、３６、３８、及びポンプ４０を含むシステムであって、しかもオンサイトの装置４２に接続されている。
配管ライン３０は、開閉弁４４を介して貯蔵タンク３２に、開閉弁４６、配管ライン４７、及び開閉弁４８を介して貯蔵タンク３４に、並列の開閉弁５０、５２を介して貯蔵タンク３６に接続している。更に、配管ライン３０は、配管ライン５４、配管ライン５６及び開閉弁５８を介して装置４２に接続し、また、配管ライン６０を介して開閉弁６２に、配管ライン６４を介してポンプ６０に、更に配管ライン６６及び開閉弁６８を介して貯蔵タンク３８に接続している。
ここで、工事対象配管ラインを配管ライン３０とすると、配管ライン３０に工事を施す際には、黒地の開閉弁４４、４６、５０、５２、５８、６２、及び６８を閉止することにより、破線で表示した他の配管ラインから配管ライン３０を分離することができる。
【０００７】
工事対象配管ライン及び／又は機器を含む工事区域を認識し、開閉弁の閉止により他の区域からその工事区域を分離、独立させる際、工事区域を認識する作業、認識した工事区域を他の区域から分離、独立させるために必要に応じて開閉弁を指定して、その開閉弁を閉止する作業は、従来、オフサイトのオペレータによりマニュアル作業で行われていた。
即ち、オペレータが、オフサイトの機器、配管ラインを表示する図６及び図７と同様な複雑な図面を見て、工事対象配管ライン、機器を認識し、その工事対象配管ライン、機器を含む工事区域を分離、独立させるために閉止が必要な開閉弁を特定し、その開閉弁の閉止作業を行っていた。
閉止が必要な開閉弁の特定は、オフサイトの運転及び安全に取って極めて重要な作業であって、若し誤った開閉弁が閉止されると、オンサイトの運転中の製造装置を緊急停止させたりする事態を招き、逆に閉止の必要な開閉弁が開放のままであると、流体が工事対象配管ライン及び対象機器に流れ込み、その工事対象配管ラインを切断したり、対象機器を取り外したりすると、油やガスが流出し、不測の事態を招くことになる。
【０００８】
【発明が解決しようとする課題】
しかし、オフサイトには、多数の機器と、その多数の機器を接続するために敷設された多数本の配管ラインからなる複雑な配管網が形成されている結果、オペレータが、図面上で、工事対象配管ライン、機器を認識し、次いで閉止の必要な開閉弁を特定する作業は、極めて気を使う仕事であって、労力と時間とを要し、作業能率が悪かった。しかも、複数の工事が、関連する複数の区域で、並行して行われることが多いために、また、複数の工事が、一つの区域を対象にして、順次に又は同時に行われることも多いために、思わぬ誤認識、或いは誤操作を犯すこともあった。
更には、工事が数時間或いは数日にわたる場合には、オペレータが交代することが多いために、オペレータ同士の間で完全な引き継ぎを行うことが難しく、どうしても手落ちが生じ勝ちであった。
そこで、オペレータに代わって、コンピュータを使って、閉止の必要な開閉弁を特定し、リストアップする、オフサイトの安全支援システムを実現させることが望まれていた。
【０００９】
本発明の目的は、オフサイトの所望の工事区域を確実に他の区域から分離するようにオペレータに必要な情報を提供すると共に分離作業を支援するオフサイトの安全支援システムを提供することである。
【００１０】
【課題を解決するための手段】
本発明者は、複雑な配管網を有するオフサイトを安全に管理するという目的から、オフサイトの安全支援システムは、少なくとも以下に列挙する機能を果たすことが必要であると考えた。
（１）工事対象配管ラインを分離するために閉止することが必要な開閉弁（以下、閉止開閉弁と言う）を検索して、閉止開閉弁のリストを作成すること。工事が複数ある場合には、異なる工事毎に閉止開閉弁を特定する。
（２）閉止開閉弁のリストに従って、一括して閉止開閉弁の閉止指令を出すこと。
（３）工事終了まで、閉止開閉弁の開操作ができないようにインターロックできること。
（４）オフサイトの運転支援のコンピュータシステム、例えばＤＣＳと協働して、ＤＣＳを介して閉止開閉弁の開操作ができないようにインターロックをかけること。
（５）リストアップされた閉止開閉弁に代えて、オペレータが入力した別の開閉弁を閉止開閉弁に変更し、変更した閉止開閉弁リストを作成できること。
（６）コンピュータによって以上の機能を果たす、コンピュータ・エイデッド・システム（Computer Aided System ）であること。即ち、記憶しているデータと、必要な入力に基づいて、（１）から（５）までの機能を自動的に実行するコンピュータ・システムであること。
【００１１】
上記目的を達成するために、上述の知見に基づいて、本発明に係るオフサイトの安全支援システムは、複数本の配管ラインにより構成されるオフサイトの配管網の少なくとも一部について、配管ラインの新設、修理、取り替え等の工事を施すに当たり、工事の対象となる配管ライン（以下、工事対象配管ラインと言う）をオフサイトの配管網から分離する際、その分離作業を支援するコンピュータ・システムであって、
オフサイトの配管網を構成する各配管ラインのデータを記憶する配管ライン・データベースと、
工事対象配管ラインのライン番号を入力する入力手段と、
配管ライン・データベースから配管ラインのデータを読み出し、入力手段から入力されたライン番号の工事対象配管ラインをオフサイトの配管網から分離するために閉止すべき開閉弁（以下、閉止開閉弁と言う）の弁番号を検索、指定する演算手段と
を備え、前記演算手段は、下記機能（１）〜（７）を有することを特徴とするオフサイトの安全支援システム。
（１）閉止開閉弁が工事対象配管ラインに存在しない場合には、工事対象配管ラインに接続している別の配管ライン（以下、接続配管ラインと言う）のデータを検索し、接続配管ラインに設けられた開閉弁を閉止開閉弁として指定する機能。
（２）ＤＣＳ（DistributedControl System）と協働し、閉止開閉弁として指定した開閉弁が、通油中を含む使用状態にあるかどうか判定し、使用中の場合には、その旨を出力する機能。
（３）演算手段が指定した閉止開閉弁に代えて、別途に入力された別の開閉弁を閉止開閉弁として指定する機能。
（４）遠隔操作可能な閉止開閉弁を一斉に閉止する機能。
（５）開操作不能になるように、閉止状態の閉止開閉弁をインターロックする機能。
（６）閉止開閉弁の開閉状態を検知する検知機能。
（７）ＤＣＳと協働し、ＤＣＳによる閉止開閉弁の開閉操作を不能にするインターロック機能と、ＤＣＳのモニター画面上で閉止開閉弁を識別できるようにする識別機能。
【００１２】
本発明に必要なデータベースは、既知の構成のコンピュータ・システムの記憶手段に記憶させたデータの集団であり、演算手段及び入力手段は、それぞれ、既知の構成のコンピュータ・システムの演算手段及び入力手段である。
工事対象配管ラインは、１本の配管ラインに限ることなく、配管ラインを分離できる限り、配管ラインの本数には制約はない。工事対象配管ラインのライン番号の入力は、キーボードからライン番号を入力しても良く、また、モニター画面上のフローシートの対象領域をマウスで指定しても良い。
【００１３】
配管ライン・データベースに格納するデータは、オフサイト内の全ての配管ラインのデータ及び配管ラインの結合に関する情報を集積したデータであって、例えば設備結合配管ライン情報と称される。
【００１４】
配管ラインは、原則、始端となる機器から終端となる別の機器まで敷設された配管であって、ここで、機器とは、開閉弁、ポンプ等の機器、混合設備等の設備、オンサイトの製造装置等を含む広い概念である。また、特例として、配管ラインは、バイパス配管ラインのように始端が配管ラインで終端が配管ラインである配管ラインもあり、分岐管のように、始端が配管ラインで終端が機器の場合、合流管のように、始端が機器で終端が配管ラインの場合もある。
配管ラインには、配管ライン毎に、配管ラインの識別番号、始端又は終端となる開閉弁の弁番号、装置の装置番号等が記憶されている。なお、装置に入る配管ライン又は装置から出る配管ラインには、必ず、装置とオフサイトとの境界線に開閉弁が設けられているので、装置を配管ラインの始端又は終端としているのは、その開閉弁を指すからである。
【００１５】
よって、本発明のデータベースに格納する配管ラインのデータは、少なくとも、配管ラインの始端及び終端を含む経路情報、並びに各配管ラインに設けられた開閉弁のデータを含む。始端及び終端は、開閉弁、計器、機器、設備、装置、及び当該配管ラインに接続されている別の配管ラインのいずれかである。
更に説明すると、本発明の配管ライン・データベースは、配管ラインのライン番号、指定されたライン番号の配管ラインを分離できる開閉弁の有無に関するデータ、有る場合には、開閉弁を識別する弁番号、開閉弁の動作形式（手動式か、電動式か、遠隔操作式か等）のデータ等、開閉弁が無い場合には、指定された配管ラインに接続している配管ラインの開閉弁の有無に関するデータを備えている。また、配管ライン・データベースは、配管ラインの結合情報、即ち指定されたライン番号の配管ラインに接続される配管ラインのデータを記憶している。
よって、配管ライン・データを検索することにより、容易に指定された配管ラインを分離できる閉止開閉弁を特定することができる。
【００１６】
本発明の好適な実施態様では、演算手段は、閉止開閉弁が工事対象配管ラインに存在しない場合には、工事対象配管ラインに接続している別の配管ラインのデータ（以下、接続配管ラインと言う）を検索し、接続配管ラインに設けられた開閉弁を閉止開閉弁として指定する。
【００１７】
本発明の好適な実施態様では、演算手段は、オフサイトの配管網に付属する設備、機器、計器、開閉弁の制御を行うＤＣＳ（Distributed Control System）と協働し、閉止開閉弁として指定した開閉弁が、通油中を含む使用状態にあるかどうか判定し、使用中の場合には、その旨を出力する機能を有する。
ＤＣＳ（Distributed Control System）は、主として、製造装置のプロセス制御用に構築されているコンピュータ制御システムであって、製造装置の各計測器を監視し、所定のプロセス条件を維持するように調整弁を自動的に調整するシステムである。
使用状態とは、通油中であって開放された状態にある、開閉弁の検査中である、開閉弁を修理している等の閉止できない状態を言う。
【００１８】
本発明の更に好適な実施態様では、演算手段は、演算手段が指定した閉止開閉弁に代えて、別途に入力された別の開閉弁を閉止開閉弁として指定する機能を備えている。
これにより、本発明に係るオフサイトの安全支援システムに、都度、オペレータの臨機応変な判断を組み込むことができる。
【００１９】
本発明の更に好適な実施態様では、演算手段は、遠隔操作可能な閉止開閉弁を一斉に閉止する機能を備えている。閉止するには、演算手段から、ＤＣＳに閉止指令を出力し、ＤＣＳを介して閉止しても良く、また、演算手段から、直接、閉止指令を開閉弁の駆動装置に出力し、閉止しても良い。
更には、演算手段は、閉止状態の閉止開閉弁を開操作不能にインターロックする機能を備えている。インターロックをかけるには、ＤＣＳを介して開閉弁の駆動装置にインターロックをかけても良く、また、演算手段から、直接、開閉弁の駆動装置にインターロックをかけても良く、更には、演算手段からＤＣＳ側で自動的にインターロックをかけるようにしても良い。
更に好適には、演算手段は、閉止開閉弁の開閉状態を検出する検知機能を備えている。これにより、演算手段は、閉止開閉弁の開閉状態を出力し、オペレータに開閉弁の開閉状態を確認させることができる。
【００２０】
本発明の更に好適な実施態様では、演算手段は、ＤＣＳと協働し、
ＤＣＳによる閉止開閉弁の開閉操作を不能にするインターロック機能と、
ＤＣＳのモニター画面上で閉止開閉弁を識別できるようにする識別機能と
を備えている。
例えば、演算装置は、ＤＣＳのモニター画面上に表示されるフローシート上で、閉止開閉弁を直ちに認識できるように、閉止開閉弁の表示を色違いにしたり、閉止開閉弁の表示にフラグを飛ばしたり、閉止開閉弁の表示に網掛けを施したりする。また、開閉弁のループ画面上で、札の絵を該当バルブ上に表示し、一目でそれとわかる様にしている。これにより、ＤＣＳによる誤操作を確実に防止することができる。
【００２１】
【発明の実施の形態】
以下に、添付図面を参照し、実施例を挙げて本発明の実施の形態を具体的かつ詳細に説明する。
実施形態例
本実施形態例は、本発明に係るオフサイトの安全支援システムの実施形態の一例である。図１は、本実施形態例のオフサイトの安全支援システムの構成を示すブロック図である。
本実施形態例のオフサイトの安全支援システム１０は、図１に示すように、配管ラインのデータベース１２を格納する記憶装置と、演算装置１４と、演算装置１４に工事対象配管ラインのライン番号を入力する入力装置１５と、出力装置１６とから構成され、製油所全体のプロセス制御及びオフサイト制御を行うＤＣＳ１８とも接続されている。
入力装置１５は、キーボード、マウス等の入力機器であって、出力装置１６は、モニター画面に加えて、プリンタ及びページング等を備えている。
【００２２】
演算装置１４は、出力装置１６上の画面に、又はＤＣＳの標準画面に、開閉弁、計器等を含む８個の操作対象を表示し、ＤＣＳを介して個々の操作対象に開閉等の操作を行うことができる。以下、８個の操作対象を表示した標準画面を８ループ画面と言う。
【００２３】
開閉弁２０が遠隔操作できる場合には、演算装置１４は、ＤＣＳ１８を介して開閉弁２０を開閉し、更に、ＤＣＳ１８に対しインターロックをかける旨の指示を出し、開閉弁を開操作不能にすることができる。
開閉弁２０が弁の開閉を検知する検知機構を備えている場合には、演算装置１４は、開閉弁２０の検知機構から受けた入力により開閉弁２０の開閉状態を例えばモニター画面上に又はプリンターにより出力できる。
演算装置１４は、ＤＣＳ１８と協働し、ＤＣＳ１８による開閉弁２０の開閉操作を不能にするインターロック機能と、ＤＣＳ１８のモニター画面上で開閉弁を識別できるようにする機能とを備えている。例えば、演算装置１４は、ＤＣＳ１８のモニター画面上に表示されるフローシート上で開閉弁２０を直ちに認識できるように、開閉弁２０の表示を色違いにしたり、８ループ画面上での開閉弁２０の表示に札掛けを施したりする。
【００２４】
次に、図２から図５を参照して、図８に示す配管ライン３０の分離に適用した場合を例にして、本実施形態例のオフサイトの安全支援システム１０の動作を説明する。
図２を参照してオフサイトの安全支援システムの基本的動作を説明する。図２はオフサイトの安全支援システムの処理ステップを示す基本的フローチャートである。先ず、ステップＳ1 では、閉止開閉弁のリストを作成するかどうか入力する。ＮＯの場合には、ステップＳ3 に飛ぶ。ＹＥＳの場合には、ステップＳ2 に移行する。
ステップＳ2 では、工事対象配管ラインのライン番号を入力して、配管ライン・データベースからデータを読み出し、閉止開閉弁を検索し、閉止開閉弁のリストを作成する。本例の閉止開閉弁は、開閉弁４４、４６、５０、５２、５８、６２、及び６８である。又、ここで、必要であれば開閉弁の追加、削除を手操作で画面上から行なう。
【００２５】
ステップＳ3 では、オペレータが、ステップＳ2で新規に追加、作成した閉止開閉弁を登録するどうかの判断をする。ＮＯの場合には、ステップＳ5 に飛ぶ。ＹＥＳの場合には、ステップＳ4 に移行する。
ステップＳ4 では、ステップＳ2で作成した閉止開閉弁を登録する。
ステップＳ5 では、既に作成、登録されている閉止開閉弁のリストの内容を変更する、例えば開閉弁を追加するか、削除するか等の判断を行う。ＮＯの場合には、ステップＳ7 に飛ぶ。ＹＥＳの場合には、ステップＳ6 に移行する。
ステップＳ6 では、必要に応じて閉止開閉弁のリストの内容を変更する、例えば開閉弁を追加する、削除する等を行う。
ステップＳ7 では、閉止開閉弁の閉止又は工事終了操作を演算装置を介して行うかどうか判断する。ＮＯ又は工事終了の場合には、ステップＳ9 に飛ぶ。閉止開閉弁を演算装置１４又はＤＣＳ１８を介して遠隔操作により閉止する、又は工事終了するＹＥＳの場合には、ステップＳ8 に移行する。
【００２６】
ステップＳ8 では、ブロック弁閉止時には、閉止開閉弁の閉指令及びインターロック指令を出力する。又、工事終了操作時には、インターロック指令を解除する。
ステップＳ9 では、工事対象配管ラインの工事が終了し、使用していた閉止開閉弁のリストを削除するかどうか判断する。ＮＯの場合には、そのまま終了する。一方、閉止開閉弁のリストを削除するＹＥＳの場合には、ステップＳ10に移行する。
ステップＳ10では、閉止開閉弁の閉指令解除がすでに終了しているかどうか自動的に判断する。閉指令解除が終了していない、ＮＯの場合には、そのまま終了する。閉止開閉弁の閉止解除が終了していたＹＥＳの場合には、ステップＳ11に移行する。
ステップＳ11では、演算装置１４から閉止開閉弁のリストを削除し、削除が完了すると、全体の処理が終了する。
【００２７】
次に、図３を参照して、閉止開閉弁の検索処理の手順の詳細を説明する。図３は、図２に示すフローチャートのステップＳ2 の詳細手順を示すフローチャートである。
ステップＳ2 では、図３に示すように、先ず、ステップＳ2-1 で、工事対象配管ラインのライン番号（工事ライン名）を入力する。
次いで、ステップＳ2-2 で、配管ライン・データベース１２から入力したライン番号の配管ライン、及びその配管ラインに接続された配管ラインの結合情報を検索する。配管ライン・データベースは、設備の識別番号（設備タグＮｏ．）、工事対象配管ラインに接続された配管ラインのライン番号（結合ラインタグＮｏ．）、閉止開閉弁の弁番号等のデータを格納している。
ステップＳ2-2 で検索した結果、工事対象配管ラインに開閉弁が無い時には、ステップＳ2-3 で、工事対象配管ラインに接続された配管ラインについて開閉弁の有無を検索する。
開閉弁が無いときには、ステップＳ2-4 では、開閉弁が存在する配管ラインに到達するまで、又は機器、設備、装置に到達するまで検索操作を繰り返す。
ステップＳ2-5 では、閉止開閉弁のリストを作成し、工事用閉止開閉弁リストファイルに出力し、記憶させる。工事用閉止開閉弁リストファイルは、工事Ｎｏ．毎に閉止開閉弁の弁番号等を記憶する。
【００２８】
次に、図４を参照して、閉止開閉弁の閉処理指令の詳細を説明する。図４は、図２に示すフローチャートのステップＳ8 の閉処理の詳細手順を示すフローチャートである。
先ず、ステップＳ8-1 では、工事Ｎｏ．を入力し、工事用閉止開閉弁リストファイルから閉止開閉弁を読み出す。
次いで、ステップＳ8-2 では、閉止開閉弁の閉指令を出力するに当たり、閉止開閉弁が、閉止できる状態にあるかどうか、閉止開閉弁の状態をチェックする。チェックする項目は、例えば、
１）閉止開閉弁が通油中で開放されていないか。
２）閉止開閉弁の動作は正常か。
３）他のシミュレーションで使用されていないか。
閉止開閉弁が閉止できない状態にあるときには、エラー・メッセージを出力し、閉指令を受け付けないようにする。
次いで、ステップＳ8-3 では、閉止開閉弁情報ファイルに、必要なデータ、例えば現在時刻、工事Ｎｏ．閉止開閉弁の弁番号等のデータを格納する。
続いて、ステップＳ8-4 で、オペレーションマーク情報ファイルから札掛け情報を取得し、ＤＣＳ１８に閉止開閉弁の閉指令と札掛け（フラグ掛け）指令を出力する。ＤＣＳ１８は、閉止開閉弁の閉指令と札掛け（フラグ掛け）指令を実行する。
【００２９】
次に、図５を参照して、閉止開閉弁の閉指令解除の手順の詳細を説明する。図５は、図２に示すフローチャートのステップＳ8 の閉止開閉弁の閉指令解除の詳細手順を示すフローチャートである。
先ず、ステップＳ8-5 では、完了した工事の工事Ｎｏ．を入力して、工事用閉止開閉弁リストファイルから工事Ｎｏ．に対応する工事用閉止開閉弁を読み出す。
次いで、ステップＳ8-6 では、完了した工事Ｎｏ．に対応する情報を工事用閉止開閉弁リストファイルから削除する。
次いで、ステップＳ8-7 では、閉止開閉弁情報ファイル内の完了工事Ｎｏ．の情報（ステップＳ8-3 で入力した現在時刻、工事Ｎｏ．閉止開閉弁タグＮｏ．等）を削除する。
次いで、ステップＳ8-8 では、ＤＣＳ１８に対して札掛けの解除指令を出力する。その時、オペレーションマーク情報ファイルから、札掛けの解除を行おうとしている閉止開閉弁が他の工事で閉指令が出されているかどうかをチェックし、閉指令が出されているときには、その中の一番若い工事Ｎｏ．の札（オペーションマーク）に掛け替える。
ＤＣＳ１８は、演算装置１４から出力された指令に従って、閉止開閉弁の札掛け解除を行い、又は札の掛け替えを行う。
【００３０】
本実施形態例では、入力はキーボードから行うように記載しているが、これに限らず、モニター画面にフローシートを表示し、フローシート上で工事対象配管ラインをマウスで区域、指定する方法を採用しても良い。
【００３１】
【発明の効果】
本発明によれば、オフサイトの配管網の少なくとも一部に工事を施すに当たり、工事対象配管ラインをオフサイトの配管網から分離する際、その分離作業を支援するシステムを、配管ラインのデータを記憶する配管ライン・データベースと、配管ライン・データベースから配管ラインのデータを読み出し、入力された工事対象配管ラインをオフサイトの配管網から分離する閉止開閉弁を指定する演算手段とで構成することにより、確実に、工事対象配管ラインをオフサイトの他の配管網から分離するシステムを実現している。
【図面の簡単な説明】
【図１】本発明に係るオフサイトの安全支援システムの実施形態例の構成を示すブロック図である。
【図２】実施形態例のオフサイトの安全支援システムの処理ステップを示す基本的フローチャートである。
【図３】図２に示すフローチャートのステップＳ2 の詳細手順を示すフローチャートである。
【図４】図２に示すフローチャートのステップＳ8 の閉処理の詳細手順を示すフローチャートである。
【図５】図２に示すフローチャートのステップＳ8 の閉止開閉弁の閉処理指令解除の詳細手順を示すフローチャートである。
【図６】オフサイトの貯蔵タンク群周りの配管網を示すフローシートである。
【図７】オフサイトのポンプ群周りの配管網を示すフローシートである。
【図８】閉止開閉弁の配置を示すフローシートである。
【符号の説明】
１０  オフサイトの安全支援システムの実施形態例
１２  配管ライン・データベース
１４  演算装置
１５  入力装置
１６  出力装置
１８  ＤＣＳ
２０  開閉弁
３０  工事対象配管ライン
３２、３４、３６、３８  貯蔵タンク
４０  ポンプ
４２  装置
４４、４６、４８、５０、５２、５８、６２、６８  開閉弁
４７、５４、５６、６０、６４  配管ライン
【図１】
0004127736.tif 000002
【図２】
0004127736.tif 000003
【図３】
0004127736.tif 000004
【図４】
0004127736.tif 000005
【図５】
0004127736.tif 000006
【図６】
0004127736.tif 000007
【図７】
0004127736.tif 000008
【図８】
0004127736.tif 000009